(57)【要約】      （修正有）【課題】硬度リークを防止し、かつ許容採水量の限界まで採水を行うことで塩の消費量を削減することのできる軟水供給設備の提供。【解決手段】２台の軟水器１Ａ・１Ｂを通水順番入替可能な直列接続と、１台ごとでの通水が可能なように配管接続し、前段軟水器と後段軟水器の間をつなぐ中間配管７に、中間配管７から分岐する硬度リーク検出配管１１を接続して硬度リークセンサ１３を設置し、中間配管７を流れている処理水をサンプリングして硬度リークを検出するようにしておき、中間配管７内を流れる処理水に硬度リークが発生するまで軟水器直列接続で採水を行い、硬度リークを検出すると両方の軟水器へ並行して原水の供給を行い、それまで先に供給していた軟水器で再生動作、それまで後段としていた軟水器で軟水の採水を行い、再生を終了すると、それまで軟水の採水を行っていた軟水器を前段、再生を行った軟水器を後段として軟水の採水を行う、軟水供給設備。【選択図】図１
2019188323.tif 000002
【特許請求の範囲】
【請求項１】
原水中に含まれている硬度成分を除去する軟水器を２台設置し、２台の軟水器は通水順番入替可能な直列接続と、１台ごとでの通水が可能なように配管を接続しており、
軟水器を直列に接続した場合の前段軟水器と後段軟水器の間をつなぐ中間配管には、中間配管から分岐する硬度リーク検出配管を接続し、硬度リーク検出配管の他端に硬度リークセンサを設置することで、中間配管を流れている処理水をサンプリングして硬度リークを検出することができるようにしておき、
中間配管内を流れる処理水に硬度リークが発生したことを硬度リークセンサによって検出するまで軟水器直列接続で採水を行い、硬度リークを検出すると両方の軟水器へ並行して原水の供給を行い、それまで先に供給していた軟水器では再生動作を行わせ、再生中はそれまで後段としていた軟水器を使用して軟水の採水を行い、再生を終了すると、それまで軟水の採水を行っていた軟水器を前段の軟水器とし、再生を行った軟水器を後段の軟水器とする直列接続として軟水の採水を行う軟水供給設備。
【請求項２】
請求項１に記載の軟水供給設備において、原水を供給する原水配管は、軟水器１Ａに接続する原水配管３Ａと軟水器１Ｂに接続する原水配管３Ｂに分岐し、分岐後の原水配管３Ａには原水入口弁４Ａ、原水配管３Ｂには原水入口弁４Ｂを設置し、軟水器１Ａの出口には取り出し配管５Ａ、軟水器１Ｂの出口には取り出し配管５Ｂを接続し、取り出し配管５Ａと取り出し配管５Ｂは途中で分岐して、それぞれの分岐した一方は採水した軟水を供給する軟水供給管６に接続しており、軟水供給管６に接続している取り出し配管５Ａの分岐後の部分に軟水供給弁８Ａ、軟水供給管６に接続している取り出し配管５Ｂの分岐後の部分にも軟水供給弁８Ｂを設置、取り出し配管５Ａ及び取り出し配管５Ｂの分岐したもう一方は、中間配管７に接続し、中間配管７は、原水配管３Ａ及び原水配管３Ｂとも接続しており、中間配管７を経由することで軟水器１Ａから取り出された軟水を軟水器１Ｂへ供給、逆に軟水器１Ｂから取り出された軟水を軟水器１Ａに供給することができるようにしておき、中間配管７の取り出し配管５Ａとの接続部に三方弁９Ａ、取り出し配管５Ｂとの接続部に三方弁９Ｂを設置、三方弁９Ａは、取り出し配管５Ａと中間配管７の接続、又は原水配管３Ａと中間配管７の接続を切り換えるものであり、三方弁９Ｂは、取り出し配管５Ｂと中間配管７の接続、又は原水配管３Ｂと中間配管７の接続を切り換えるものとして、中間配管７は、途中に中間遮断弁１０を設置するとともに、硬度リーク検出配管１１を接続し、硬度リーク検出配管１１の他端には硬度リークセンサ１３を設置して、硬度リーク検出配管１１の途中には三方弁である硬度リーク検出選択弁１２を設置しておき、硬度リーク検出選択弁１２の残りの口は軟水供給管６から分岐した分岐管を接続したことを特徴とする軟水供給設備。
【発明の詳細な説明】
【技術分野】
【０００１】
本発明は、軟水使用機器への軟水の供給を行う軟水供給設備に関するものである。
【背景技術】
【０００２】
特開平１０−５７５９号公報に記載があるように、ボイラなどへの給水に軟水を使用する場合、原水は軟水器を通すことで硬度成分を除去することが行われている。原水をイオン交換樹脂が充填された樹脂筒内へ流すと、原水中に含まれているカルシウムイオンやマグネシウムイオンがイオン交換樹脂内に留まり、代わりにイオン交換樹脂内からナトリウムイオンが放出されることで水中に存在していたカルシウムなどの硬度成分が除去される。イオン交換樹脂では、軟水の採水を行うことによって硬度成分を除去する能力は徐々に失われていくが、塩水を流すとイオン交換樹脂内に取り込んでいたカルシウムイオンやマグネシウムイオンは放出され、代わりにイオン交換樹脂内にはナトリウムイオンが残るため採水能力を回復させることができ、定期的に再生工程を行うことにより、繰り返し軟水の採水を行うことができる。
【０００３】
イオン交換樹脂を再生している間は軟水を採水することはできないため、２４時間の軟水供給が必要な場合は２台の軟水器を設置しておき、交互に採水と再生を行うようにしている。また、特開平１０−５７５９号公報に記載の発明では、２台の軟水器は直列に接続することができるようにしている。２台の軟水器を直列に接続し、前段の軟水器を通した後に後段の軟水器に通すようにすると、前段の軟水器では除去できなかった硬度成分を後段の軟水器で除去することができ、硬度リークの可能性をより低くすることができる。この場合、２台の軟水器は通水の順番を入替可能としており、経路内に２台の流量計を設置している。流量計によって軟水の採水量を計測しておき、前段側軟水器での通水量が所定の値に達すると、前段側の軟水器で再生を行うようにしている。再生が終了すると再生を行った軟水器が下流側となるように通水経路を切り換える。硬度分を除去する能力が高い方の軟水器を下流側とすることで硬度リークの発生を防止することができる。
【０００４】
先に説明した通り、軟水器は採水量が設定値に達するごとに再生を行うようにしており、再生する際には塩が必要となる。再生周期を定める採水量の設定値は、原水の水質から定まるが、水質は変動があるため、ある程度の余裕度を見て採水量を設定する。この余裕度は大きく取ると再生頻度が大きくなって塩の消費量が増加するが、余裕度が小さいと硬度リークが発生する可能性が高まることになる。そのため、再生は硬度除去能力がある程度残った状態で行うことになり、実際の塩消費量は理論上の塩消費量より大きくなっていた。
【先行技術文献】
【特許文献】
【０００５】
【特許文献１】特開平１０−５７５９号公報
【発明の概要】
【発明が解決しようとする課題】
【０００６】
本発明が解決しようとする課題は、軟水の採水によって硬度分除去能力が低下するために定期的な再生を必要としている軟水供給設備において、硬度リークを防止し、かつ許容採水量の限界まで採水を行うことで塩の消費量を削減することのできる軟水供給設備を提供することにある。
【課題を解決するための手段】
【０００７】
請求項１に記載の発明は、原水中に含まれている硬度成分を除去する軟水器を２台設置し、２台の軟水器は通水順番入替可能な直列接続と、１台ごとでの通水が可能なように配管を接続しており、軟水器を直列に接続した場合の前段軟水器と後段軟水器の間をつなぐ中間配管には、中間配管から分岐する硬度リーク検出配管を接続し、硬度リーク検出配管の他端に硬度リークセンサを設置することで、中間配管を流れている処理水をサンプリングして硬度リークを検出することができるようにしておき、
中間配管内を流れる処理水に硬度リークが発生したことを硬度リークセンサによって検出するまで軟水器直列接続で採水を行い、硬度リークを検出すると両方の軟水器へ並行して原水の供給を行い、それまで先に供給していた軟水器では再生動作を行わせ、再生中はそれまで後段としていた軟水器を使用して軟水の採水を行い、再生を終了すると、それまで軟水の採水を行っていた軟水器を前段の軟水器とし、再生を行った軟水器を後段の軟水器とする直列接続として軟水の採水を行うことを特徴とする。
【０００８】
請求項２に記載の発明は、前記の軟水供給設備において、原水を供給する原水配管は、軟水器１Ａに接続する原水配管３Ａと軟水器１Ｂに接続する原水配管３Ｂに分岐し、分岐後の原水配管３Ａには原水入口弁４Ａ、原水配管３Ｂには原水入口弁４Ｂを設置し、軟水器１Ａの出口には取り出し配管５Ａ、軟水器１Ｂの出口には取り出し配管５Ｂを接続し、取り出し配管５Ａと取り出し配管５Ｂは途中で分岐して、それぞれの分岐した一方は採水した軟水を供給する軟水供給管６に接続しており、軟水供給管６に接続している取り出し配管５Ａの分岐後の部分に軟水供給弁８Ａ、軟水供給管６に接続している取り出し配管５Ｂの分岐後の部分にも軟水供給弁８Ｂを設置、取り出し配管５Ａ及び取り出し配管５Ｂの分岐したもう一方は、中間配管７に接続し、中間配管７は、原水配管３Ａ及び原水配管３Ｂとも接続しており、中間配管７を経由することで軟水器１Ａから取り出された軟水を軟水器１Ｂへ供給、逆に軟水器１Ｂから取り出された軟水を軟水器１Ａに供給することができるようにしておき、中間配管７の取り出し配管５Ａとの接続部に三方弁９Ａ、取り出し配管５Ｂとの接続部に三方弁９Ｂを設置、三方弁９Ａは、取り出し配管５Ａと中間配管７の接続、又は原水配管３Ａと中間配管７の接続を切り換えるものであり、三方弁９Ｂは、取り出し配管５Ｂと中間配管７の接続、又は原水配管３Ｂと中間配管７の接続を切り換えるものとして、中間配管７は、途中に中間遮断弁１０を設置するとともに、硬度リーク検出配管１１を接続し、硬度リーク検出配管１１の他端には硬度リークセンサ１３を設置して、硬度リーク検出配管１１の途中には三方弁である硬度リーク検出選択弁１２を設置しておき、硬度リーク検出選択弁１２の残りの口は軟水供給管６から分岐した分岐管を接続したことを特徴とする。
【０００９】
硬度リーク検出器で硬度リークを検出しても、それは前段の軟水器が能力を使いきったものであって、この時点では後段の軟水器では硬度成分を除去する能力は十分にある。軟水器を直列に接続していると、前段の軟水器で硬度成分を取り残しても、後段にあったもう一方の軟水器を通すことで硬度成分は除去することができ、供給している処理水には硬度リークは発生しない。そして前段軟水器の再生は能力を使いきってから再生を行うことになり、再生間隔を広くすることができるため、塩の消費量を抑えることができる。
【発明の効果】
【００１０】
本発明を実施することによって、硬度リークの発生は防止でき、かつ再生用の塩消費量は最小限とすることができる。
【図面の簡単な説明】
【００１１】
【図１】本発明の一実施例での軟水供給設備であって、軟水器１Ａを前段、軟水器１Ｂを後段とした場合のフロー図
【図２】本発明の一実施例での軟水供給設備であって、軟水器１Ａを再生しており、軟水器１Ｂで採水を行っている場合のフロー図
【図３】本発明の一実施例での軟水供給設備であって、軟水器１Ｂを前段、軟水器１Ａを後段とした場合のフロー図
【発明を実施するための形態】
【００１２】
本発明の一実施例を図面を用いて説明する。図１〜３は本発明の一実施例での軟水供給設備のフロー図であって、図１は軟水器１Ａを前段とし軟水器１Ｂを後段とした場合のフロー図、図２は軟水器１Ａを再生しており軟水器１Ｂで採水を行っている場合のフロー図、図３は軟水器１Ｂを前段とし軟水器１Ａを後段とした場合のフロー図である。
【００１３】
軟水器１Ａと軟水器１Ｂからなる２台の軟水器を設置しており、２台の軟水器は直列に接続する際に通水の順番を入れ替えることが可能であって、また１台ごとにも通水することが可能なように配管を接続している。軟水器１Ａおよび軟水器１Ｂは、それぞれイオン交換樹脂を充填した樹脂筒と、樹脂筒への給排水を制御するコントロールバルブ２Ａ・２Ｂからなる。コントロールバルブ２は、採水時・再生時・洗浄時といった状況に応じての流路を切り換える。コントロールバルブ２Ａ・２Ｂには、通水の入口／出口と排水口を設けており、原水配管３を通して供給してきた水は入口から樹脂筒内に送り込み、樹脂筒内から取り出す場合には出口から取り出し、洗浄水などの排水は排水口から排水配管へ排出する。
【００１４】
原水を供給する原水配管３は、軟水器１Ａに接続する原水配管３Ａと軟水器１Ｂに接続する原水配管３Ｂに分岐し、原水配管３Ａは軟水器１Ａの入口、分岐配管３Ｂは軟水器１Ｂの入口に接続する。分岐後の原水配管３Ａには原水入口弁４Ａ、原水配管３Ｂには原水入口弁４Ｂを設置し、原水入口弁４Ａおよび４Ｂによって軟水器１Ａおよび軟水器１Ｂへの原水供給を制御する。軟水器１Ａの出口には取り出し配管５Ａを接続し、軟水器１Ｂの出口には取り出し配管５Ｂを接続する。取り出し配管５Ａと取り出し配管５Ｂはそれぞれ途中で分岐し、それぞれの分岐した一方は採水した軟水を供給する軟水供給管６に接続しており、軟水供給管６に接続している取り出し配管５Ａの分岐後の部分に軟水供給弁８Ａ、軟水供給管６に接続している取り出し配管５Ｂの分岐後の部分には軟水供給弁８Ｂを設置する。取り出し配管５Ａと取り出し配管５Ｂの両方に接続している軟水供給管６には流量計１４を設置しておき、軟水の供給量を計測することができるようにしておく。
【００１５】
取り出し配管５Ａ及び取り出し配管５Ｂの分岐したもう一方は、中間配管７に接続する。中間配管７は、原水配管３Ａ及び原水配管３Ｂとも接続しており、中間配管７を経由することで軟水器１Ａから取り出された軟水を軟水器１Ｂへ供給、逆に軟水器１Ｂから取り出された軟水を軟水器１Ａに供給することができるようにしている。中間配管７の取り出し配管５Ａとの接続部に三方弁９Ａ、取り出し配管５Ｂとの接続部に三方弁９Ｂを設置する。三方弁９Ａは、取り出し配管５Ａと中間配管７の接続、又は原水配管３Ａと中間配管７の接続を切り換えるものであり、同様に三方弁９Ｂは、取り出し配管５Ｂと中間配管７の接続、又は原水配管３Ｂと中間配管７の接続を切り換えるものとしている。中間配管７は、途中に中間遮断弁１０を設置するとともに、硬度リーク検出配管１１を接続している。硬度リーク検出配管１１の他端には硬度リークセンサ１３を設置し、硬度リーク検出配管１１の途中には三方弁である硬度リーク検出選択弁１２を設置している。硬度リーク検出選択弁１２の残りの口は軟水供給管６から分岐した分岐管を接続しており、硬度リーク検出選択弁１２では、中間配管７から硬度リークセンサ１３へサンプル水を送ることと、軟水供給管６から硬度リークセンサ１３へサンプル水を送ることを選択することができるようにしている。硬度リークセンサ１３は処理水を定期的にサンプリングし、試薬の発色により硬度成分量を測定して硬度リークを監視するものであり、硬度リークの発生を検出すると前段側の軟水器で再生動作を行う。各操作弁は、図示していないが運転制御装置からの信号によって操作されるようにしておく。
【００１６】
図面に基づき、通水のフローを説明する。図１は、軟水器１Ａを前段、軟水器１Ｂを後段として直列接続して軟水の採水を行う場合のものである。図１の場合、原水入口弁４Ａ、中間遮断弁１０、軟水供給弁８Ｂを開き、原水入口弁４Ｂと軟水供給弁８Ａは閉じる。そして三方弁９Ａは取り出し配管５Ａと中間配管７をつなぎ、三方弁９Ｂは中間配管７と原水配管３Ｂをつなぐようにしており、硬度リーク検出選択弁１２は硬度リーク検出配管１１からのサンプル水が硬度リークセンサ１３に送られるように硬度リーク検出配管１１側を接続している。
【００１７】
この状態で原水配管３から原水の供給を行うと、原水配管３を通して送られてきた原水は原水入口弁４Ａへのみ流れ、原水入口弁４Ｂには流れない。原水配管３Ａを流れてきた原水は、コントロールバルブ２Ａを通して軟水器１Ａのイオン交換樹脂層内を通り、軟水器１Ａで軟水化される。軟水器１Ａで軟水化された処理水は、コントロールバルブ２Ａを通して取り出し配管５Ａへ取り出され、三方弁９Ａを通して中間配管７に向かう。中間遮断弁１０は開き、三方弁９Ｂは中間配管７と原水配管３Ｂをつないでいるため、中間配管７を送られてきた処理水は中間配管７から原水配管３Ｂへ流れる。原水配管３Ｂに設けている原水入口弁４Ｂは閉じているため、三方弁９Ｂから原水配管３Ｂに流れた処理水は軟水器１Ｂへ流れ、軟水器１Ｂのイオン交換樹脂層内で二度目の軟水化処理が行われる。ただし、前段の軟水器１Ａで十分な軟水化処理が行われていた場合は、軟水器１Ｂでは軟水が素通りするだけであって、ここでの軟化処理は行われない。前段側の軟水器１Ａで十分な軟化処理が行われておらず、水中に硬度分が残っていた場合には、後段側となる軟水器１Ｂが軟化処理を行う。三方弁９Ｂの取り出し配管５Ｂ側は閉じており、軟水供給弁８Ｂは開いているため、軟水器１Ｂから取り出される処理水は取り出し配管５Ｂから軟水供給管６へ流れ、軟水使用箇所へ供給される。また、硬度リーク検出選択弁１２は中間配管７と硬度リークセンサ１３をつなぐものとなっているため、中間配管７を流れている処理水の一部は中間配管７から分岐して硬度リークセンサ１３へ流れる。硬度リークセンサ１３で硬度リークの発生を検出すると、前段側となっている軟水器１Ａで再生動作を行う。
【００１８】
図２は、軟水器１Ａで再生を行う場合のものである。図２の場合、原水入口弁４Ａ、原水入口弁４Ｂ、軟水供給弁８Ｂを開き、中間遮断弁１０と軟水供給弁８Ａは閉じる。そして三方弁９Ａは取り出し配管５Ａ側を閉鎖、三方弁９Ｂも取り出し配管５Ｂ側を閉鎖し、硬度リーク検出選択弁１２は軟水供給管６を硬度リークセンサ１３に接続している。
【００１９】
この状態で原水配管３から原水の供給を行うと、原水配管３を通して送られてきた原水は分岐して原水配管３Ａと原水配管３Ｂの両方に流れる。軟水器１Ａへ流れる原水は、軟水器１Ａの再生を行うためのものである。軟水器の再生時には、コントロールバルブ２Ａによって軟水器１Ａ内の流水方向を軟水の採水時とは異なる状態とする。再生の工程は、イオン交換樹脂層に対して採水時とは逆方向に水を流すことでイオン交換樹脂を撹拌する逆洗工程、イオン交換樹脂層に塩水を通してイオン交換樹脂内のカルシウムイオンやマグネシウムイオンをナトリウムイオンに置き換える通薬工程、イオン交換樹脂層内から塩水を押し流す押し出し工程、イオン交換樹脂層内の塩水を洗い流す洗浄工程、及び次回再生のために塩水槽（図示せず）に水を供給する張り込み工程からなる。原水入口弁４Ａを開き、軟水器１Ａへ原水の供給を行うことで、軟水器１Ａでの再生動作を行うことができ、再生排水はコントロールバルブ２Ａに接続している排水配管より排出する。軟水器１Ａで再生動作を行っている間は、軟水器１Ｂのみでの軟水の採水を行う。原水配管３Ｂを通して供給してきた原水は、軟水器１Ｂで軟水化処理を行い、取り出し配管５Ｂより処理水を取り出す。三方弁９Ｂは取り出し配管５Ｂ側を閉じており、軟水供給弁８Ｂは開いているため、軟水器１Ｂからの処理水はすぐに軟水供給管６へ流れ、そのまま軟水使用箇所へ供給される。
【００２０】
また、硬度リーク検出選択弁１２は軟水供給管６と硬度リークセンサ１３をつなぐものとなっているため、軟水供給管６を流れている処理水の一部は軟水供給管６から分岐して硬度リークセンサ１３へ流れる。硬度リークセンサ１３で処理水の硬度リークを監視し、硬度リークの発生を検出すると採水を行っている軟水器１Ｂの再生を行う。ただしこの時点で採水を行っている軟水器１Ｂは、先ほどまで２台の軟水器を直列に接続していた場合の後段側の軟水器であり、軟化処理は前段の軟水器で行っていたため、後段の軟水器では処理能力の低下はほとんど発生しておらず、硬度漏れが発生する可能性は低いものとなる。
【００２１】
軟水器１Ａでの再生が終了すると再び２台の軟水器を直列に接続する。図３は軟水器１Ａでの再生が終了して軟水器を直列に接続した場合のものである。図３の場合、原水入口弁４Ｂ、中間遮断弁１０、軟水供給弁８Ａを開き、原水入口弁４Ａと軟水供給弁８Ｂは閉じる。そして三方弁９Ａは中間配管７と原水配管３Ａをつなぎ、三方弁９Ｂは取り出し配管５Ｂと中間配管７をつなぐようにしておき、硬度リーク検出選択弁１２は硬度リーク検出配管１１からのサンプル水が硬度リークセンサ１３に送られるように硬度リーク検出配管１１側を硬度リークセンサ１３に接続している。
【００２２】
この状態で原水配管３から原水の供給を行うと、原水配管３を通して送られてきた原水は原水入口弁４Ｂへのみ流れ、原水入口弁４Ａには流れない。原水配管３Ｂを流れてきた原水は、コントロールバルブ２Ｂを通して軟水器１Ｂのイオン交換樹脂層内を通り、軟水器１Ｂで軟水化される。軟水器１Ｂで軟水化された処理水は、コントロールバルブ２Ｂを通して取り出し配管５Ｂへ取り出され、三方弁９Ｂを通して中間配管７に向かう。中間配管７の中間遮断弁１０は開き、三方弁９Ａは中間配管７と原水配管３Ａをつないでいるため、中間配管７を送られた処理水は中間配管７から原水配管３Ａへ流れる。原水配管３Ａに設けている原水入口弁４Ａは閉じているため、三方弁９Ａから原水配管３Ａに流れた処理水は軟水器１Ａへ流れ、軟水器１Ａのイオン交換樹脂層内で二度目の軟水化処理が行われる。ただし、前段の軟水器１Ｂで十分な軟水化処理が行われていた場合は、軟水器１Ａでは軟水が素通りするだけであって、ここでの軟化処理は行われない。前段側の軟水器１Ｂで十分な軟化処理が行われておらず、水中に硬度分が残っていた場合には、後段側となる軟水器１Ａが軟化処理を行う。三方弁９Ａの取り出し配管５Ａ側は閉じており、軟水供給弁８Ａは開いているため、軟水器１Ａから取り出される処理水は取り出し配管５Ａから軟水供給管６へ流れ、軟水使用箇所へ供給される。また、硬度リーク検出選択弁１２は中間配管７と硬度リークセンサ１３をつなぐものとなっているため、中間配管７を流れている処理水の一部は中間配管７から分岐して硬度リークセンサ１３へ流れる。硬度リークセンサ１３硬度リークの発生を検出すると、前段側の軟水器１Ｂで再生動作を行う。
【００２３】
上記のように２台設置した軟水器は、再生を行うことで能力を回復した軟水器を下流側とする直列配列としているため、上流側の軟水器で硬度リークが発生しても、下流側の軟水器でリークした硬度成分を除去することができるため、硬度リークの発生を防止することができる。そして上流側の軟水器では、能力の限界まで採水を行ってから再生を行うようにすることで、再生の間隔を広げることができ、再生に必要な塩の使用量を削減することができる。
【００２４】
なお、本発明は以上説明した実施例に限定されるものではなく、多くの変形が本発明の技術的思想内で当分野において通常の知識を有する者により可能である。
【符号の説明】
【００２５】
１Ａ・１Ｂ  軟水器
２Ａ・２Ｂ  コントロールバルブ
３・３Ａ・３Ｂ  原水配管  
４Ａ・４Ｂ  原水入口弁
５Ａ・５Ｂ  取り出し配管
６  軟水供給管
７  中間配管
８Ａ・８Ｂ  軟水供給弁
９Ａ・９Ｂ  三方弁
１０  中間遮断弁
１１  硬度リーク検出配管
１２  硬度リーク検出選択弁
１３  硬度リークセンサ
１４  流量計                              
【図１】
2019188323.tif 000003
【図２】
2019188323.tif 000004
【図３】
2019188323.tif 000005